(57)【要約】【課題】シート部材を折り曲げて梱包材を形成するに際して、物品保持構造を容易に形成することができる技術を提供すること。【解決手段】本発明に係る物品保持構造形成方法は、シート部材を谷折り線で折り曲げることで形成される隣接する２つの面に梱包される物品の少なくとも一部を当接させる物品保持構造を形成する方法であって、平面で板状のシート部材に、任意の間隔の２本の切れ込みを形成し、前記２本の切れ込みの両端から少し内側に、それぞれ前記切れ込みに直交する２本の折り線を形成し、前記谷折り線は、前記２本の切れ込みの外側に形成し、当該シート部材を、前記谷折り線で折り曲げることにより、前記２本の切れ込みと２本の折り線によって囲まれた領域を斜めに立ち上がらせて、斜めの物品保持構造を形成することを特徴としている。【選択図】図１
2011011758.tif 000002
【特許請求の範囲】
【請求項１】
シート部材を谷折り線で折り曲げることで形成される隣接する２つの面に梱包される物品の少なくとも一部を当接させる物品保持構造を形成する方法であって、
平面で板状のシート部材に、
任意の間隔の２本の切れ込みを形成し、
前記２本の切れ込みの両端から少し内側に、それぞれ前記切れ込みに直交する２本の折り線を形成し、
前記谷折り線は、前記２本の切れ込みの外側に形成し、
当該シート部材を、前記谷折り線で折り曲げることにより、前記２本の切れ込みと２本の折り線によって囲まれた領域を斜めに立ち上がらせて、斜めの物品保持構造を形成することを特徴とする梱包材の物品保持構造形成方法。
【請求項２】
前記２本の折り線に平行に、別の折り線をさらに形成することを特徴とする請求項１に記載の梱包材の物品保持構造形成方法。
【請求項３】
シート部材を谷折り線で折り曲げることで形成される隣接する２つの面に梱包される物品の少なくとも一部を当接させる物品保持構造が形成された梱包材であって、
平面で板状のシート部材に、
任意の間隔の２本の切れ込みが形成され、
前記２本の切れ込みの両端から少し内側に、それぞれ前記切れ込みに直交する２本の折り線が形成され、
前記谷折り線は、前記２本の切れ込みの外側に形成され、
当該シート部材が、前記谷折り線で折り曲げられて、前記２本の切れ込みと２本の折り線によって囲まれた領域によって、斜めの物品保持構造が形成されたことを特徴とする梱包材。
【請求項４】
前記２本の折り線に平行に、別の折り線がさらに形成されていることを特徴とする請求項１に記載の梱包材。
【発明の詳細な説明】
【技術分野】
【０００１】
本発明は、１枚の板状の段ボール等のシート部材を折り曲げて梱包材を形成する技術に関し、特には、前記梱包材に物品保持構造を簡単に形成する技術に関するものである。
【背景技術】
【０００２】
従来より、板状の段ボールに折り線や切れ込みを設けて折り曲げて、例えば箱状の梱包材を形成することが行われている。このような梱包材は、特許文献１などにおいて開示されている。
その一般的な例を図７、８を参照して説明する。
100は素材となる板状の段ボールであり、この段ボール100で物品を保持して収納するための梱包材200を構成する基本手順を説明する。
【０００３】
まず、前記段ボール100を、破線で示した谷折り線110ａで谷折りして、例えば底面100ａと右側面100ｂを形成して、図８に示したような梱包材200を形成する。そして、この梱包材200の２つの面に囲まれた空間に、電子機器等の物品300を収納する。なお、前記谷折り線110ａは、当該段ボール100の段ボール目に直交する方向としている。
このとき、前記収納した物品300が、梱包材200内の空間でずれることを防止するために、物品保持構造400が形成されている。前記物品保持構造400は、物品300の外形寸法に応じた位置に複数設けることがある。
【０００４】
１つの物品保持構造400を、前記１枚の板状の段ボール100から構成するために、前記段ボール100には、例えば、図７に示したように、前記谷折り線110ａに直交する２本の切れ込み120、120を設ける。さらに、前記２本の切れ込み120、120の両端を結ぶ折り線130,130と、前記谷折り線110ａと平行な折り線140を設ける。
このようにして、切れ込みと折り線を設けた段ボール100を谷折り線110ａで折り曲げて底面100ａと右側面100ｂとを直角に折り曲げて空間を形成した後、前記２本の切れ込み120、120で挟まれた領域を前記空間側に押し出して、図８に示したような断面形状が矩形の物品保持構造400を形成する。
【０００５】
図７における折り線140は、図８の状態においては山折りとなるため、組み立て作業を容易にするためには、前記折り線140は山折りを容易とするために、裏面から折り線を形成することが望まれるが、そのためには、２つの折り線130,130と谷折り線110ａとは表側から折り線を入れ、その後、段ボール100を裏表反転させてから前記折り線140を設けるという複雑な工程が必要となる。
また、折り線を入れるための型が、２つの折り線130,130と谷折り線110ｃを形成する分と、折り線140を形成する分とで２つ必要になり、加工費用が高くなるという問題がある。
また、このような矩形の物品保持構造を形成するために２本の切れ込み120、120で挟まれた領域を押し出す作業は、大変指先に力の必要な作業であり、多数の物品保持構造を形成することは大変苦痛を伴った作業であった。
なお、折り線140には、貫通しない切れ目を設けることで、組み立てやすくなるが、段ボールがその部分で切れやすくなり、特に、強度が要求される場合や、幅が狭くなる場合には不適切である。
【先行技術文献】
【特許文献】
【０００６】
【特許文献１】実開昭58−163473（実願昭57−60641）号公報
【発明の概要】
【発明が解決しようとする課題】
【０００７】
本発明は、１枚の板状の段ボール等のシート部材を折り曲げて梱包材を形成するに際して、物品保持構造を容易に形成することができる技術を提供することを目的とするものである。
【課題を解決するための手段】
【０００８】
請求項１に係る物品保持構造形成方法は、
シート部材を谷折り線で折り曲げることで形成される隣接する２つの面に梱包される物品の少なくとも一部を当接させる物品保持構造を形成する方法であって、
平面で板状のシート部材に、
任意の間隔の２本の切れ込みを形成し、
前記２本の切れ込みの両端から少し内側に、それぞれ前記切れ込みに直交する２本の折り線を形成し、
前記谷折り線は、前記２本の切れ込みの外側に形成し、
当該シート部材を、前記谷折り線で折り曲げることにより、前記２本の切れ込みと２本の折り線によって囲まれた領域を斜めに立ち上がらせて、斜めの物品保持構造を形成することを特徴としている。
請求項２では、
前記２本の折り線に平行に、別の折り線をさらに形成する。
【０００９】
請求項３に係る梱包材は、
シート部材を谷折り線で折り曲げることで形成される隣接する２つの面に梱包される物品の少なくとも一部を当接させる物品保持構造が形成された梱包材であって、
平面で板状のシート部材には、
任意の間隔の２本の切れ込みが形成され、
前記２本の切れ込みの両端から少し内側に、それぞれ前記切れ込みに直交する２本の折り線が形成され、
前記谷折り線は、前記２本の切れ込みの外側に形成され、
当該シート部材が、前記谷折り線で折り曲げられて、前記２本の切れ込みと２本の折り線によって囲まれた領域によって、斜めの物品保持構造が形成されている。
請求項４では、
前記２本の折り線に平行に、別の折り線がさらに形成されている。
【発明の効果】
【００１０】
請求項１に係る物品保持構造形成方法によれば、
平面で板状のシート部材に、
任意の間隔の２本の切れ込みを形成し、
前記２本の切れ込みの両端から少し内側に、それぞれ前記切れ込みに直交する２本の折り線を形成し、
前記谷折り線は、前記２本の切れ込みの外側に形成し、
当該シート部材を、前記谷折り線で折り曲げることにより、前記２本の切れ込みと２本の折り線によって囲まれた領域を斜めに立ち上がらせて、シート部材に物品保持構造を容易に形成することができる。
請求項２によれば、
前記２本の折り線に平行に、別の折り線をさらに形成したので、複数の折り線の部分でシート部材が座屈しやすくなり、
当該シート部材を、前記外側折り線で谷折りして前記谷折り部近傍に斜めの物品保持構造を形成する作業がさらに容易になる。
【００１１】
請求項３に係る梱包材によれば、
当該シート部材が、谷折り線で折り曲げられて、２本の切れ込みと２本の折り線によって囲まれた領域によって、斜めの物品保持構造が形成されているので、従来の加工装置で、上記効果の得られる物品保持構造が形成された梱包材を得ることができる。
請求項４によれば、
前記２本の折り線に平行に、別の折り線がさらに形成されているので、複数の折り線の部分でシート部材が座屈しやすくなっており、上記効果の得られる梱包材がさらに容易に得られる。
【図面の簡単な説明】
【００１２】
【図１】本発明に係る物品保持構造形成方法に用いる段ボールの平面図である。
【図２】本発明に係る物品保持構造形成方法の説明図である。
【図３】本発明に係る物品保持構造形成方法の説明図である。
【図４】本発明に係る梱包材の使用状態の説明図である。
【図５】別実施例に係る物品保持構造形成方法に用いる段ボールの平面図である。
【図６】図６の段ボールによる物品保持構造形成方法の説明図である。
【図７】従来例の物品保持構造形成方法に用いる段ボールの斜視図である。
【図８】従来例の物品保持構造の側面断面図である。
【発明を実施するための形態】
【００１３】
本発明に係る物品保持構造形成方法を実施するための形態を示した図１において、
１は素材となるシート部材としての板状の段ボールであり、この段ボール１で物品を収納するための梱包材を構成する基本手順を説明する。
【００１４】
まず、前記段ボール１には、３本の破線で示した谷折り線１ａ，１ｂ，１ｃを設ける。これらの３本の谷折り線によって前記段ボール１は４つの面10ａ，１0ｂ，１0ｃ，１0ｄに分けられる。前記谷折り線は、当該段ボール１の段ボール目に直交する向きに形成する。
次に、２つの物品保持構造を形成する場合には、前記段ボール１の所定の２カ所に物品保持構造を形成するための切れ込みと折り線とを、以下のように形成する。
【実施例１】
【００１５】
以下においては、１つの物品保持構造３を、前記谷折り線１ｃの近傍に形成する場合を、図１、２、３、４を参照して説明する。
まず、物品保持構造を形成すべき所定位置に前記谷折り線１ｃに直交する切れ込み31を入れる。この切れ込み31は裏面まで貫通した切れ込みである。
そして、前記切れ込み31に平行な切れ込み32を同様に設ける。これら２本の切れ込みの間隔は、形成しようとする物品保持構造に求められる強度等の条件に応じて適宜決定するとよい。これらの切れ込みは、段ボールの隣接する２つの面１０ｃ，１０ｄの両面にまたがっている必要がある。
【００１６】
次に、前記切れ込み31の一方の端と前記切れ込み32の一方の端とを結ぶ折り線33を形成する。さらに、前記折り線33と平行であり且つ前記折り線33の少し内側（前記谷折り線１ｃ側）に同様の折り線34を形成する。このとき、前記折り線33は山折りしやすい折り線とし、前記折り線34は谷折りしやすい折り線とすることが望まれるが、そのような加工は手間がかかるので、両方とも単に押しつぶして形成した折り線で十分である。
【００１７】
次に、前記切れ込み31、32の他方の端どうしを結ぶ折り線35と、その内側の折り線36とを同様に形成する。
ここで重要なことは、前記谷折り線１ｃは、２本の切れ込み31,32に挟まれた領域３Ｐ内には形成せずに外部にのみ形成することである。
ここでは、２本の切れ込み31,32と、２本の折り線34,36とに挟まれた領域３Ｐは、前記谷折り線１ｃで折り曲げた場合に前記領域３Ｐにかかる力（本実施例では段ボール目の方向にかかる力）では容易には折り曲げられない板状の領域となっていることが必要なのである。
以上のようにして、１つの物品保持構造３を形成するための切れ込みと折り線とを形成する。同様の切れ込みと折り線は、他の物品保持構造４を形成する位置にも同様に形成する。
【００１８】
以上のようにして、３本の谷折り線１ａ，１ｂ，１ｃに加えて、２つの物品保持構造を形成するための切れ込みと折り線とが形成された段ボール１を、図２のように、前記３本の谷折り線１ａ，１ｂ，１ｃの部分で谷折りして梱包材を組み立てる。
このとき、１つの物品保持構造３が、前記谷折り線１ｃの近傍に形成される過程を図３を参照して説明する。
図３の（Ａ）は、前記谷折り線１ｃで谷折りする前の状態の側面断面図を示し、図３の（Ｂ）は、前記谷折り線１ｃで少し谷折りした状態の側面断面図を示し、図３の（Ｃ）は、前記谷折り線１ｃで直角に谷折りした状態の側面断面図を示している。
【００１９】
図３の（Ｂ）に示したように、外部から力を加えて、前記谷折り線１ｃで少し谷折りすると、段ボールの２つの面１０ｃ、１０ｄが近づくため、前記折り線33,34と折り線35,36との距離は、図３の（Ａ）の状態より近づく。しかし、２本の折り線34,36とに挟まれた領域３Ｐは、前述したように、前記谷折り線１ｃで折り曲げた場合に前記領域３Ｐにかかる力（本実施例では段ボール目の方向にかかる力）では容易には折り曲げられない板状の領域であるので、前記両端の折り線33,35が自然に座屈して山折りとなり、前記内側の折り線34,36が自然に座屈して谷折となり、図３の（Ｃ）に示したように、前記２本の折り線34,36とに挟まれた領域３Ｐが、前記谷折り線１ｃの近傍において自然に斜めに配置され、谷折りするための力を加えるだけで、物品保持構造３が自然に形成されるのである。
なお、状況によっては、図３の（Ｄ）の状態に座屈する場合や、図３の（Ｅ）のように一方だけ折れる場合もあるが、いずれにせよ、谷折りするための力を加えるだけで、斜めの物品保持構造３がほぼ自然に形成されるのである。
【００２０】
同様に、他の物品保持構造４も形成されるのである。
このようにして、図４に示したように、２カ所に物品保持構造３、４が形成された梱包材２ができあがる。この梱包材２は請求項３、４に記載された梱包材である。
前記梱包材２に、電子部品等の物品７を収納するときには、前記２カ所に形成された物品保持構造３、４の間に前記物品７を挟んだ状態で収納する。収納された前記物品７は前記２カ所に形成された物品保持構造３、４の間に保持されるので、輸送途中等において傾いたり動かされたりしても、前記物品に大きな衝撃は加わらないので、前記物品を安全に輸送することができるのである。
本発明によれば、以上のようにして、所定の切れ込みと折り線を形成した段ボールに、谷折りするための力を加えるだけで、斜めの物品保持構造を形成することができるので、従来のような矩形の物品保持構造を形成する場合に比べて、物品保持構造が形成された梱包材を、容易に組み立てることができる。
【実施例２】
【００２１】
以上の実施例１においては、１つの物品保持構造を形成するに際して、折り線を４カ所設けたが、折り線は４カ所に限定されるものではなく、２カ所以上であれば、３カ所でも、５カ所以上でもよい。また、使用する段ボールは紙製に限らずプラスチック製でもよい。
図５には、２カ所の折り線を形成する場合の段ボール５を示した。この図に示したように、２つの切れ込み51,52の両端より少し内側に、２つの折り線53,54を形成する。この折り線53,54は谷折りが好ましい。このようにして、折り線を２カ所だけ形成した段ボール５を谷折り線５ｃで折り曲げると、図６に示したように、２つの切れ込み51,52と、２つの折り線53,54で囲まれた領域５Ｐは、実施例１における領域３Ｐと同様に、容易には折り曲げられない板状の領域となっているので、２つの折り線53,54に谷折りする方向への力がかかって、谷折りされる。そのため、前記２つの折り線53,54の外側の領域が変形し、図示したような状態となって、２つの折り線53,54で囲まれた領域５Ｐが斜めに配置され物品保持構造６が自然に形成されるのである。
【００２２】
切れ込みの長さが同じ場合には、実施例１の物品保持構造３、４における２つの折り線34,36の間隔は、実施例２の物品保持構造６における２つの折り線53,54の間隔より広くできるので、実施例１の物品保持構造３、４の方が大きな物品を固定するのに適しているという効果がある。
逆に、実施例２の物品保持構造６の方が折り線の加工が少なくてすむという効果がある。
【００２３】
上記構成の物品保持構造３、４、６は、ひとつの梱包材に何カ所設けてもよい。
以上のように、本発明によれば、物品保持構造を極めて容易に形成することができるので、優れた作業効率が得られる。また、上記構成の物品保持構造を形成するための切れ込みと折り線は、従来の標準的な片面からの段ボール加工装置を用いて加工することができるので、低コストで実施することができる。
なお、前記段ボールに代えて、種々の板状のシート部材を用いることができる。
【産業上の利用可能性】
【００２４】
本発明は、段ボールを用いた梱包材に限らず、種々の構造に応用することができる。
【符号の説明】
【００２５】
１  段ボール、シート部材
１ｃ  谷折り線
２  梱包材
３、４  物品保持構造
31,32  切れ込み
34,36  折り線、内側の折り線
33,35  別の折り線、外側の折り線
３Ｐ  領域
５  段ボール
５ｃ  谷折り線
51,52  切れ込み
53,54  折り線
５Ｐ  領域
６  物品保持構造
７  物品
【図１】
2011011758.tif 000003
【図２】
2011011758.tif 000004
【図３】
2011011758.tif 000005
【図４】
2011011758.tif 000006
【図５】
2011011758.tif 000007
【図６】
2011011758.tif 000008
【図７】
2011011758.tif 000009
【図８】
2011011758.tif 000010